【手続補正書】
【提出日】令和2年7月14日(2020.7.14)
【手続補正１】
【補正対象書類名】特許請求の範囲
【補正対象項目名】全文
【補正方法】変更
【補正の内容】
【特許請求の範囲】
【請求項１】
密度≦０．７２ｇ／ｃｍ３を有する単層又は多層二軸延伸ポリプロピレンフィルムであって、フィルムの少なくとも１層は、層の総重量に基づいて７９．０〜９５．０重量％の範囲の量の少なくとも１種のポリプロピレン及び５．０〜２１．０重量％の範囲の量の少なくとも１種の天然炭酸カルシウムを含み、少なくとも１種の天然炭酸カルシウムが、３．２μｍ〜８．０μｍの重量メジアン粒径ｄ５０を有する、単層又は多層二軸延伸ポリプロピレンフィルム。
【請求項２】
フィルムの少なくとも１種のポリプロピレン及び少なくとも１種の天然炭酸カルシウム含有層が、
ａ）  層の総重量に基づいて、８２．０〜９３．０重量％の範囲の量の少なくとも１種のポリプロピレン、及び／又は
ｂ）  層の総重量に基づいて、７．０〜１８．０重量％の範囲の量の少なくとも１種の天然炭酸カルシウム
を含む、請求項１に記載の単層又は多層二軸延伸ポリプロピレンフィルム。
【請求項３】
フィルムの少なくとも１種のポリプロピレン及び少なくとも１種の天然炭酸カルシウム含有層が、
ａ）  層の総重量に基づいて、８４．０〜９２．０重量％の範囲の量の少なくとも１種のポリプロピレン、及び／又は
ｂ）  層の総重量に基づいて、８．０〜１６．０重量％の範囲の量の少なくとも１種の天然炭酸カルシウム
を含む、請求項１に記載の単層又は多層二軸延伸ポリプロピレンフィルム。
【請求項４】
少なくとも１種のポリプロピレンが、プロピレンホモポリマー、プロピレンランダムコポリマー、及びターポリマーから選択される群から選択される、請求項１から３のいずれか一項に記載の単層又は多層二軸延伸ポリプロピレンフィルム。
【請求項５】
プロピレンランダムコポリマーが、エチレンとのプロピレンランダムコポリマーであり、並びにターポリマーが、エチレン及びブテンとのターポリマーである、請求項４に記載の単層又は多層二軸延伸ポリプロピレンフィルム。
【請求項６】
少なくとも１種のポリプロピレンが、
ａ）  ＩＳＯ  １１３３（２３０℃、２．１６ｋｇ）に従って決定された０．０１〜２０ｇ／１０分の範囲のメルトフローレート（ＭＦＲ）、及び／又は
ｂ）  ＩＳＯ  １１８３に従って決定された０．８８０ｇ／ｃｍ３〜０．９２０ｇ／ｃｍ３の範囲の密度
を有する、請求項１から５のいずれか一項に記載の単層又は多層二軸延伸ポリプロピレンフィルム。
【請求項７】
少なくとも１種のポリプロピレンが、
ａ）  ＩＳＯ  １１３３（２３０℃、２．１６ｋｇ）に従って決定された０．１〜１０ｇ／１０分の範囲のメルトフローレート（ＭＦＲ）、及び／又は
ｂ）  ＩＳＯ  １１８３に従って決定された０．８９０ｇ／ｃｍ３〜０．９１０ｇ／ｃｍ３の範囲の密度
を有する、請求項１から５のいずれか一項に記載の単層又は多層二軸延伸ポリプロピレンフィルム。
【請求項８】
少なくとも１種の天然炭酸カルシウムが、重質天然炭酸カルシウムである、請求項１から７のいずれか一項に記載の単層又は多層二軸延伸ポリプロピレンフィルム。
【請求項９】
少なくとも１種の天然炭酸カルシウムが、湿式又は乾式粉砕された天然炭酸カルシウムである、請求項１から７のいずれか一項に記載の単層又は多層二軸延伸ポリプロピレンフィルム。
【請求項１０】
少なくとも１種の天然炭酸カルシウムが、大理石及び／又は石灰石及び／又はチョークである、請求項１から９のいずれか一項に記載の単層又は多層二軸延伸ポリプロピレンフィルム。
【請求項１１】
少なくとも１種の天然炭酸カルシウムが、
ａ）  ３．５μｍ〜８．０μｍの重量メジアン粒径ｄ５０、及び／又は
ｂ）  ≦５０．０μｍのトップカット粒径ｄ９８、及び／又は
ｃ）  ＩＳＯ  ９２７７に従う窒素及びＢＥＴ法を用いて測定された０．５〜１５０ｍ２／ｇの比表面積（ＢＥＴ）
を有する、請求項１から１０のいずれか一項に記載の単層又は多層二軸延伸ポリプロピレンフィルム。
【請求項１２】
少なくとも１種の天然炭酸カルシウムが、
ａ）  ３．５μｍ〜７．２μｍの重量メジアン粒径ｄ５０、及び／又は
ｂ）  ≦４０．０μｍのトップカット粒径ｄ９８、及び／又は
ｃ）  ＩＳＯ  ９２７７に従う窒素及びＢＥＴ法を用いて測定された０．５〜５０ｍ２／ｇの比表面積（ＢＥＴ）
を有する、請求項１から１０のいずれか一項に記載の単層又は多層二軸延伸ポリプロピレンフィルム。
【請求項１３】
少なくとも１種の天然炭酸カルシウムが、少なくとも１種の天然炭酸カルシウムの表面上に、
ｉ）  １種以上のリン酸モノエステル及びその塩反応生成物、並びに／又は１種以上のリン酸ジエステル及びその塩反応生成物の、リン酸エステルブレンド、及び／又は
ｉｉ）  少なくとも1種の飽和脂肪族直鎖又は分岐カルボン酸及びその塩反応生成物、及び／又は
ｉｉｉ）  少なくとも１種の脂肪族アルデヒド及び／又はその塩反応生成物、及び／又は
ｉｖ）  置換基に少なくともＣ２からＣ３０までの総炭素原子数を有する直鎖、分岐、脂肪族及び環式基から選択される基によって一置換されたコハク酸無水物からなる少なくとも１種の一置換コハク酸無水物及び／又はそれらの塩反応生成物、及び／又は
ｖ）  少なくとも１種のポリジアルキルシロキサン、及び／又は
ｖｉ）  ｉからｖに従う材料の混合物
を含む処理層を含む表面処理された天然炭酸カルシウムである、請求項１から１２のいずれか一項に記載の単層又は多層二軸延伸ポリプロピレンフィルム。
【請求項１４】
少なくとも１種の天然炭酸カルシウムの表面上の処理層が、少なくとも１種の飽和脂肪族直鎖又は分岐カルボン酸及びそれらの塩反応生成物、並びに／又は置換基中に少なくともＣ２からＣ３０までの総炭素原子数を有する直鎖、分岐、脂肪族及び環式基から選択される基で一置換されたコハク酸無水物からなる少なくとも１種の一置換コハク酸無水物及び／若しくはそれらの塩反応生成物を含む、請求項１３に記載の単層又は多層二軸延伸ポリプロピレンフィルム。
【請求項１５】
少なくとも１種の飽和脂肪族直鎖又は分岐カルボン酸が、ペンタン酸、ヘキサン酸、ヘプタン酸、オクタン酸、ノナン酸、デカン酸、ウンデカン酸、ラウリン酸、トリデカン酸、ミリスチン酸、ペンタデカン酸、パルミチン酸、ヘプタデカン酸、ステアリン酸、ノナデカン酸、アラキジン酸、ヘンイコシル酸、ベヘン酸、トリコシル酸、リグノセリン酸及びそれらの混合物から成る群から選択される、請求項１４に記載の単層又は多層二軸延伸ポリプロピレンフィルム。
【請求項１６】
表面処理された天然炭酸カルシウムが、少なくとも１種の天然炭酸カルシウムの総乾燥重量に基づいて、０．０５〜２．３重量％の量で処理層を含む、請求項１３から１５のいずれか一項に記載の単層又は多層二軸延伸ポリプロピレンフィルム。
【請求項１７】
表面処理された天然炭酸カルシウムが、少なくとも１種の天然炭酸カルシウムの総乾燥重量に基づいて、０．１〜２．０重量％の量で処理層を含む、請求項１３から１５のいずれか一項に記載の単層又は多層二軸延伸ポリプロピレンフィルム。
【請求項１８】
フィルムの少なくとも１種のポリプロピレン及び天然炭酸カルシウム含有層が、キャビテーション剤、酸化防止剤、酸捕捉剤、加工助剤、帯電防止添加剤、押出助剤、核形成剤、光安定剤、光学的光沢剤、青色染料、ブロッキング防止剤、白色顔料及びそれらの混合物、を含む群から選択される少なくとも１種の添加剤をさらに含み、少なくとも１種の添加剤が、少なくとも１種のポリプロピレンに分散されている、請求項１から１７のいずれか一項に記載の単層又は多層二軸延伸ポリプロピレンフィルム。
【請求項１９】
キャビテーション剤が、ポリケトン、ポリスルホン、フルオロポリマー、ポリアセタール、アイオノマー、アクリル樹脂、ポリスチレン樹脂、ポリウレタン、ポリアミド、ポリカーボネート、ポリアクリロニトリル、ポリエチレンテレフタレート、ポリブチレンテレフタレート、並びにそれらの共重合樹脂及び混合物からなる群から選択されるポリマーキャビテーション剤であり、並びに無機キャビテーション剤が、無機充填剤（少なくとも１種の天然炭酸カルシウムとは異なる）、顔料、中実微小球、中空微小球、金属、及びそれらの混合物から成る群から選択される、請求項１８に記載の単層又は多層二軸延伸ポリプロピレンフィルム。
【請求項２０】
フィルムの少なくとも１種のポリプロピレン及び少なくとも１種の天然炭酸カルシウム含有層が、層の総重量に基づいて、０．１〜３０．０重量％の範囲の量で少なくとも１種の添加剤を含む、請求項１９に記載の単層又は多層二軸延伸ポリプロピレンフィルム。
【請求項２１】
フィルムの少なくとも１種のポリプロピレン及び少なくとも１種の天然炭酸カルシウム含有層が、層の総重量に基づいて、２．０〜２５．０重量％の範囲の量で少なくとも１種の添加剤を含む、請求項１９に記載の単層又は多層二軸延伸ポリプロピレンフィルム。
【請求項２２】
フィルムが、
ａ）  ≦０．７０ｇ／ｃｍ３の範囲、及び／又は
ｂ）  ≧４０％の不透明度
を有する、請求項１から２１のいずれか一項に記載の単層又は多層二軸延伸ポリプロピレンフィルム。
【請求項２３】
フィルムの少なくとも１種のポリプロピレン及び少なくとも１種の天然炭酸カルシウム含有層が、
ａ）  ≦０．６８ｇ／ｃｍ３の範囲密度、及び／又は
ｂ）  ≧５５％の不透明度
を有する、請求項１から２１のいずれか一項に記載の単層又は多層二軸延伸ポリプロピレンフィルム。
【請求項２４】
単層又は多層二軸延伸ポリプロピレンフィルムを製造する方法であって、
ａ）  少なくとも１種のポリプロピレン及び少なくとも１種の天然炭酸カルシウムを含む組成物を提供する工程、及び
ｂ）  工程ａ）の組成物からフィルムを形成する工程、及び
ｃ）  工程ｂ）で得られたフィルムを、縦方向（ＭＤ）及び横方向（ＴＤ）に任意の順序で延伸する工程であって、縦方向又は横方向における延伸が、逐次的に又は同時に行われ、少なくとも１種の天然炭酸カルシウムが、３．２μｍ〜８．０μｍの重量メジアン粒径ｄ５０を有する、方法。
【請求項２５】
工程ａ）で提供される組成物が、少なくとも１種のポリプロピレン及び少なくとも１種の天然炭酸カルシウムを混合及び／又は混練して混合物を形成し、得られた混合物を連続的にペレット化することによって得られるマスターバッチである、請求項２４に記載の方法。
【請求項２６】
工程ａ）で提供される組成物が、マスターバッチの総重量に基づいて、＞３０と８５重量％との間の量で少なくとも１種の天然炭酸カルシウム含むマスターバッチである、請求項２４又は２５に記載の方法。
【請求項２７】
工程ａ）で提供される組成物が、マスターバッチの総重量に基づいて、３５〜８０重量％の量で少なくとも１種の天然炭酸カルシウム含むマスターバッチである、請求項２４又は２５に記載の方法。
【請求項２８】
工程ａ）で提供される組成物が、少なくとも１種のポリプロピレン及び少なくとも１種の天然炭酸カルシウムを混合及び／又は混練して混合物を形成し、得られた混合物を連続的にペレット化することによって得られる複合物である、請求項２４に記載の方法。
【請求項２９】
方法の工程ａ）及びｂ）が同時に実施される、請求項２４に記載の方法。
【請求項３０】
方法の工程ａ）及びｂ）が同時に実施され、少なくとも１種のポリプロピレン及び少なくとも１種の天然炭酸カルシウムを押出機に直接添加して工程ｂ）を実施する、請求項２４に記載の方法。
【請求項３１】
工程ａ）の少なくとも１種のポリプロピレン及び少なくとも１種の天然炭酸カルシウムを含む組成物が、少なくとも１種の天然炭酸カルシウムを、少なくとも１種のポリプロピレンの重合過程に加えることによって得られる、請求項２４に記載の方法。
【請求項３２】
工程ａ）の少なくとも１種のポリプロピレン及び少なくとも１種の天然炭酸カルシウムを含む組成物が、少なくとも１種の天然炭酸カルシウムを、少なくとも１種のポリプロピレンの重合過程の前又は後に加えることによって得られる、請求項２４に記載の方法。
【請求項３３】
密度≦０．７２ｇ／ｃｍ３を有する単層又は多層二軸延伸ポリプロピレンフィルムにおけるキャビテーション剤としての、少なくとも１種の天然炭酸カルシウムの使用であって、少なくとも１種の天然炭酸カルシウムが、３．２μｍ〜８．０μｍの重量メジアン粒径ｄ５０を有する、使用。
【請求項３４】
請求項１から２３のいずれか一項に記載の単層又は多層二軸延伸ポリプロピレンフィルムを含む物品であって、物品が、花の上包み、タバコの上包み、ＣＤの上包み、収縮性フィルム、離型フィルム、ツイストフィルム、マットフィルム、非電気コンデンサ膜、食品包装、可撓性包装、キャンディーバー包装、衛生用品、ラベル、織物、文房具、フォトアルバム、封筒、窓、カタログ、マニュアル、包装袋、地図、オーディオ／ビデオカセット、工業用テープ、箱用ガムテープ、マスキングテープ、積層金属化パンフレットカタログ、印刷積層板、カートンボックス、化粧箱、レストランメニュー、電気製品からなる群から選択される物品。
【請求項３５】
請求項３４に記載の単層又は多層二軸延伸ポリプロピレンフィルムを含む物品であって、工業用テープが感圧テープであり、並びに電気製品がケーブル絶縁材及びコンデンサである物品。
【請求項３６】
花の上包み、タバコの上包み、ＣＤの上包み、収縮性フィルム、離型フィルム、ツイストフィルム、マットフィルム、非電気コンデンサ膜、食品包装、可撓性包装、キャンディーバー包装、衛生用品、ラベル、織物、文房具、フォトアルバム、封筒、窓、カタログ、マニュアル、包装袋、地図、オーディオ／ビデオカセット、工業用テープ、箱用ガムテープ、マスキングテープ、積層金属化パンフレットカタログ、印刷積層板、カートンボックス、化粧箱、レストランメニュー、電気製品における、請求項１から２３のいずれか一項に記載の単層又は多層二軸延伸ポリプロピレンフィルムの使用。
【請求項３７】
工業用テープが感圧テープであり、並びに電気製品が、ケーブル絶縁材及びコンデンサである、請求項３６に記載の単層又は多層二軸延伸ポリプロピレンフィルムの使用。